(57)【要約】レンズ部と半反射鏡とを備える立体動画像撮影装置用アダプターであって、レンズ部は、入射側レンズ部と出射側レンズ部とを備え、そのそれぞれがレンズ部の中央部にリリースレンズを有する。入射側レンズ部及び出射側レンズ部は、互いに対称に設けられる。レンズ部は、入射側レンズ部の外側に形成された入射瞳点を有する。半反射鏡は、第２光軸に沿って入射され、第２全反射鏡によって反射される動画像を反射するために、及び、第３光軸に沿って入射され、第３全反射鏡及び第１全反射鏡によって反射される動画像を透過させるために撮影レンズの光軸に対して傾斜しながら、第１全反射鏡とレンズ部との間の撮影レンズの光軸上に配置される。
2005528653.tif 000002
【特許請求の範囲】
【請求項１】
撮影レンズと出力端子とを有する立体動画像撮影装置用アダプターであって、
中央にリリースレンズを含む複数の入射側レンズ部と複数の出射側レンズ部とが互いに対称的に並んで配置され、前記入射側レンズ部に入射された映像を１：１の倍率で逆転させて前記出射側レンズ部に出射させ、前記撮影レンズの前方に設けられ、前記入射側レンズ部の入射瞳点が前記入射側レンズ部の外側に形成されるように設計されたレンズ部と；
前記レンズ部の前方に配置され、前記撮影レンズの光軸を中心に所定の距離を置いて左右側のそれぞれに形成される第２光軸と第３光軸とに沿って入射する被写体の左右側動画像を交互に前記撮影レンズの光軸に通過させるアダプターハウジングを含むことを特徴とする立体動画像撮影装置用アダプター。
【請求項２】
前記アダプターハウジングは：
前記撮影レンズの光軸上に傾斜面が位置するように設けられた第１プリズムと；
前記第１プリズムと前記レンズ部との間に設けられて前記第１プリズムで反射された動画像を透過させる第２プリズムと；
前記第２光軸上に傾斜面が位置するように設けられ、前記第２光軸に沿って入射する動画像を前記撮影レンズの光軸の方向に反射させる第３プリズム；及び
前記第３光軸上に設けられて前記第３光軸に沿って入射する動画像を前記第１プリズムへ反射させる全反射鏡を含み、
前記第２プリズムと前記第３プリズムとは、前記撮影レンズの光軸に対して傾斜を有し、反射率が５０％であり、透過率が５０％である誘電体物質でコーティングされた接合面で結合されることを特徴とする請求項１記載の立体動画像撮影装置用アダプター。
【請求項３】
前記アダプターハウジングは：
前記撮影レンズの光軸上に、前記撮影レンズの光軸に対して傾斜を有して設けられる第１全反射鏡；
前記第２光軸上に前記第２光軸に対して傾斜を有して設けられ、前記第２光軸に沿って入射される動画像を前記撮影レンズの光軸へ反射させる第２全反射鏡；
前記第３光軸上に前記第３光軸に対して傾斜を有して設けられ、前記第３光軸に沿って入射される動画像を前記撮影レンズの光軸へ反射させる第３全反射鏡；及び
前記第１全反射鏡と前記レンズ部との間に、前記撮影レンズの光軸に対して傾斜を有して設けられ、第２全反射鏡により反射されて入ってくる前記第２光軸の動画像は反射させ、前記第３全反射鏡及び前記第１全反射鏡に反射されて入ってくる前記第３光軸の動画像は透過させる半反射鏡を含むことを特徴とする請求項１記載の立体動画像撮影装置用アダプター。
【請求項４】
前記撮影レンズの光軸と前記第２光軸に亘って設けられ、前記撮影レンズの光軸では前記第１プリズムと前記第２プリズムとの間に、そして前記第２光軸では前記第３プリズムの前方に配置されるシャッターを備え、
前記シャッターは透明な部分と不透明な部分が半分ずつ占める円形の回転シャッターで、前記第２光軸及び前記第３光軸に沿って入射する前記被写体の左右側動画像を交互に通過させることを特徴とする請求項２記載の立体動画像撮影装置用アダプター。
【請求項５】
前記撮影レンズの光軸と前記第２光軸に亘って設けられ、前記撮影レンズの光軸では前記半反射鏡と前記第１反射鏡との間に、そして前記第２光軸では前記第２全反射鏡の前方に配置されるシャッターを備え、
前記シャッターは透明な部分と不透明な部分が半分ずつ占める円形の回転シャッターで、前記第２光軸及び前記第３光軸に沿って入射する前記被写体の左右側動画像を交互に通過させることを特徴とする請求項３記載の立体動画像撮影装置用アダプター。
【請求項６】
前記撮影レンズの光軸と前記第２光軸との間の距離と、前記撮影レンズと前記第３光軸との間の距離が同一であることを特徴とする請求項４又は請求項５に記載の立体動画像撮影装置用アダプター。
【請求項７】
前記レンズ部の前記複数の入射側レンズ部と前記複数の出射側レンズ部とが互いに所定の距離を置いて平行に配置され、前記入射側レンズ部及び前記出射側レンズ部のそれぞれは、直角二等辺三角形の形状に形成され、互いに対向して配置されて前記動画像を逆転させることを特徴とする請求項１記載の立体動画像撮影装置用アダプター。
【発明の詳細な説明】
【技術分野】
【０００１】
本発明は立体動画像撮影装置用アダプターに関し、より詳しくは、被写体の左右側動画像が交互に入射されるようにするアダプターハウジングと、撮影レンズに対する入射瞳（Entrance pupil）点がレンズの外側に形成されるようにするレンズ部を備え、画像角の広い動画像を撮影する場合も前記アダプターハウジングの大きさが肥大しないようにして、左右側動画像の合成動画像に歪みが生じないようにする立体動画像撮影装置用アダプターに関する。
【背景技術】
【０００２】
従来、ビデオカメラ用立体動画像撮影装置は２台のビデオカメラを用い、撮影者を中心にして被写体の左右側動画像を左右のビデオカメラで撮影し、撮影された左右側動画像を合成する方法を用いていた。しかし、このような従来の技術は２台のビデオカメラが必要であるだけでなく、それに伴う付帯装置が必要であり、動画像の合成が困難且つ多くの時間を要するという問題点がある。
【０００３】
さらに、このような問題点を解決するために本願発明者が発明した大韓民国特許公開公報第２０００−２４７６７号に掲載された立体動画像撮影装置用アダプターは、図５に示されているように右側及び左側動画像が通過する第２光軸Ａ２及び第３光軸Ａ３の中間に被写体１００と撮影レンズ１２が位置し、被写体１００の右側及び左側動画像を交互に撮影するよう２つの液晶シャッター手段６０、７０が設けられているアダプターハウジング１８を備えている。さらに、アダプターハウジング１８内には撮影レンズ１２の第２光軸Ａ２及び第３光軸Ａ３に沿って動画像が凹レンズ３７を介して入射されて全反射されるよう、それぞれの光軸に対し４５°の角度で傾斜する第２全反射鏡４２と第３全反射鏡４３とが設けられており、撮影レンズ１２の光軸Ａ１上には半反射鏡８０と第１全反射鏡４１とが設けられている。このような構成により、それぞれの左右側動画像は第２全反射鏡４２及び第３全反射鏡４３で反射され、再び撮影レンズ１２の光軸Ａ１上の第１全反射鏡４１で反射されて撮影レンズ１２に入射される。液晶シャッター手段６０、７０は第２及び第３光軸Ａ２、Ａ３のそれぞれに沿って入射する動画像を交互に受けるため、半反射鏡８０と第２全反射鏡４２との間に、そして半反射鏡８０と第３全反射鏡４３との間にそれぞれ設けられる。したがって、被写体１００の右側動画像が撮影レンズ１２に入射されて撮影されるとき、被写体１００の左側動画像は液晶シャッター７０がオフ状態になって撮影レンズ１２に入射されず、逆に第３光軸Ａ３を介して入射される被写体１００の左側動画像が撮影されるとき、第２光軸Ａ２を介して入射される右側動画像は撮影されない。その結果、被写体１００の右側動画像及び左側動画像の内の一方の動画像が撮影されているとき、他方は撮影されないようにして、被写体１００の立体動画像を撮影することができることになる。
【発明の開示】
【発明が解決しようとする課題】
【０００４】
しかし、前記従来の立体動画像撮影装置のアダプターは、図６に示されているように入射瞳点（Entrance pupil point；Ｅ）が撮影装置の内部にあるため、より広い、例えば５２°の画像角を有するワイド動画像の撮影を望む場合は、前記左右の第２全反射鏡４２及び第３全反射鏡４３が撮影レンズ１２の光軸Ａ１から左右に遠く離れて配置されなければならず、さらに全反射鏡自体が大きくなければならないため、アダプターハウジングの大きさが肥大するという問題点がある。
【０００５】
さらに、従来のアダプターでは、図６に示すように撮影レンズ１２の光軸Ａ１と第２光軸Ａ２との間の距離と、撮影レンズ１２の光軸Ａ１と第３光軸Ａ３との間の距離が同一ではないため、被写体１００の左右動画像の大きさが異なることになり、合成された被写体１００の動画像に歪みが生じるという問題点がある。
【課題を解決するための手段】
【０００６】
本発明は、前記の問題点を解決するためのもので、撮影レンズと被写体の左右側動画像が交互に入射されるようにするアダプターハウジングとの間に、レンズの入射瞳点がレンズの外側に位置して１：１の倍率を有し、複数のレンズが対称的に配置され動画像を逆転させるように構成されたレンズ部を備え、画像角の広い動画像を撮影する場合もアダプターハウジングの大きさが肥大しないようにし、撮影された動画像に歪みが生じない立体動画像撮影装置用アダプターを提供することに目的がある。
【０００７】
前記の目的を達成するため、本発明は撮影レンズと出力端子とを有する立体動画像撮影装置用アダプターであって、中央にリリースレンズを含む複数の入射側レンズ部と複数の出射側レンズ部とが互いに対称的に並んで配置され、前記入射側レンズ部に入射された映像を１：１の倍率で逆転させて前記出射側レンズ部に出射させ、前記撮影レンズの前方に設けられ、入射側レンズ部の入射瞳点が入射側レンズ部の外側に形成されるように設計されたレンズ部と；前記レンズ部の前方に配置され、前記撮影レンズの光軸を中心に所定の距離を置いて左右側のそれぞれに形成される第２光軸と第３光軸とに沿って入射する被写体の左右側動画像を交互に前記撮影レンズの光軸に通過させるアダプターハウジングを含むようにし、画像角の広い動画像に対してもアダプターハウジングの大きさが肥大しないようにすることができ、左右動画像の合成動画像に歪みが生じないようにする。
【０００８】
さらに、本発明に係る前記前記アダプターハウジングは：撮影レンズの光軸上に傾斜面が位置するように設けられた第１プリズムと；前記第１プリズムと前記レンズ部との間に設けられて第１プリズムで反射された動画像を透過させる第２プリズムと；第２光軸上に傾斜面が位置するように設けられ、第２光軸に沿って入射する動画像を撮影レンズの光軸の方向に反射させる第３プリズム；及び第３光軸上に設けられて第３光軸に沿って入射する動画像を第１プリズムへ反射させる全反射鏡を含み、前記第２プリズムと前記第３プリズムとは、前記撮影レンズの光軸に対して傾斜を有する半反射物質でコーティングされた接合面で結合されるようにすることにより、第３プリズムにより反射されて入射する第２光軸の右側動画像は反射させ、前記全反射鏡及び第１プリズムを介して入射する第３光軸の左側動画像は透過させる。
【０００９】
さらに、本発明の前記アダプターハウジングは：前記撮影レンズの光軸上に、前記撮影レンズの光軸に対して傾斜を有して設けられる第１全反射鏡；前記第２光軸上に前記第２光軸に対して傾斜を有して設けられ、前記第２光軸に沿って入射される動画像を前記撮影レンズの光軸へ反射させる第２全反射鏡；前記第３光軸上に前記第３光軸に対して傾斜を有して設けられ、前記第３光軸に沿って入射される動画像を前記撮影レンズの光軸へ反射させる第３全反射鏡；及び前記第１全反射鏡とレンズ部との間に、前記撮影レンズの光軸に対して傾斜を有して設けられ、第２全反射鏡により反射されて入ってくる第２光軸の動画像は反射させ、第３全反射鏡及び第１全反射鏡に反射されて入ってくる第３光軸の動画像は透過させる半反射鏡を含む。
【００１０】
さらに、本発明は前記撮影レンズの光軸と第２光軸に亘って設けられ、撮影レンズの光軸では第１プリズムと第２プリズムとの間に、そして第２光軸では第３プリズムの前方に配置されるシャッターを備え、前記シャッターは透明な部分と不透明な部分が半分ずつ占める円形の回転シャッターで、第２光軸及び第３光軸に沿って入射する前記被写体の左右側動画像を交互に通過させるようにする。
【００１１】
さらに、本発明に係る前記撮影レンズの光軸と第２光軸との間の距離と、前記撮影レンズと第３光軸との間の距離が同一であるようにし、左右動画像を合成しても合成動画像に歪みが生じないようにする。
【００１２】
さらに、前記レンズ部の複数の入射側レンズ部と複数の出射側レンズ部とが互いに所定の距離を置いて平行に配置され、前記入射側レンズ部及び前記出射側レンズ部のそれぞれは、直角二等辺三角形の形状に形成され、互いに対向して配置されて前記動画像を逆転させるようにしてレンズ部の長さを縮小させることができる。
【発明を実施するための最良の形態】
【００１３】
以下、添付の図面を参照して本発明に係る立体動画像撮影装置用アダプターの実施形態を詳しく検討する。図中において同一又は類似の構成要素に対しては、異なる図面に示されていても同一の図面符号を用いることにする。
【００１４】
＜実施形態１＞
図１は、本発明の一実施形態に係る立体動画像撮影装置用アダプターの構成を示す図である。
図１に示すように、本発明に係る立体動画像撮影装置用アダプターはアダプターハウジング１８と、前記アダプターハウジング１８と撮影レンズ１２との間に配置されるレンズ部２０とで構成される。
【００１５】
前記レンズ部２０は撮影レンズ１２の前方に設置され、前記レンズ部２０の前方にアダプターハウジング１８が設置される。前記アダプターハウジング１８の内部には撮影レンズ１２の前方で撮影レンズ１２の光軸Ａ１上に傾斜面が置かれるように第１プリズム５１が配置される。前記第１プリズム５１と前記レンズ部２０との間には第２プリズム５４と第３プリズム５２が設けられ、第２プリズム５４と第３プリズム５２とは互いに結合して構成され、第２プリズム５４と第３プリズム５２とが結合される接合面５５は撮影レンズ１２の光軸Ａ１に対して傾斜を有するように形成される。前記接合面５５は反射率と透過率とが５０％程度の誘電体物質でコーティングされているので、一方向から入ってくる動画像は透過することができ、さらに別の方向から入ってくる動画像は反射させることができる作用を有しており、本実施形態では互いに経路を別にする左右側動画像を透過又は反射させることができる。
【００１６】
さらに、第３プリズム５２は撮影レンズ１２の光軸Ａ１はもちろんのこと第２光軸Ａ２にまで延伸され、第２光軸Ａ２に対して傾斜面を有するように形成されている。第２光軸Ａ２を介して被写体１００の右側動画像が入射され、前記右側動画像は前記第３プリズム５２を透過し、傾斜面で反射されて前記接合面５５に向かう。接合面５５は、前記第３プリズム５２で反射された被写体１００の右側動画像を再び反射させ、撮影レンズ１２の光軸Ａ１に沿って前記レンズ部２０を介して撮影レンズ１２に入射されるようにする。
【００１７】
さらに、第３光軸Ａ３上には全反射鏡５３が傾斜を有して配置されており、全反射鏡５３は第３光軸Ａ３に沿って入射される被写体１００の左側動画像を第１プリズム５１へ反射させる作用をする。前記全反射鏡５３によって反射された被写体１００の左側動画像は第１プリズム５１に入射され、第１プリズム５１の傾斜面で反射され、撮影レンズ１２の光軸Ａ１に沿って第２プリズム５４を透過し、前記接合面５５を透過して第３プリズム５２を通過することになる。そして、被写体１００の左側動画像はレンズ部２０を通過して撮影レンズ１２に入射される。
【００１８】
図３は、本発明の立体動画撮影装置用アダプターに利用可能なレンズ部の一実施形態を示す拡大図であり、図４は本発明に係るレンズ部のさらに他の実施形態を示す拡大図である。
図３に示すように、前記レンズ部２０は入射側レンズ部２１と出射側レンズ部２２とで構成されている。前記レンズ部２０を通過する動画像が拡大又は縮小されず倍率が１：１になるよう、レンズ部２０は入射側レンズ部２１と出射側レンズ部２２とが互いに対称になって一直線上に配置された構造を有する。さらに、レンズ部２０の中央にはリリースレンズ２１ａ、２２ａが設けられている。
【００１９】
さらに、レンズ部２０は仮想ストップ（imaginary  stop）が入射側レンズ部２１の最外側（outermost）レンズの外側に所定の距離（入射瞳点Ｅと入射側レンズ部２１の最外側レンズとの間の距離）を置いた状態で設計されるため、入射側レンズ部２１の入射瞳点Ｅが入射側レンズ部２１の最外側レンズの外側、すなわちレンズ部２０の外部に形成される構造を有する。本実施形態における入射瞳点Ｅは、全反射鏡５３と第１プリズム５１との間に位置することになる（図１を参照）。
【００２０】
一般に、入射瞳点Ｅがレンズ部２０の外側に存在することになると、レンズ部２０を通過した動画像は逆転されるが、本発明に係るレンズ部２０は入射側レンズ部２１と出射側レンズ部２２が互いに対称になる構造を有しているため、入射側レンズ部２１で逆転された動画像はリリースレンズ２１ａ、２２ａを通過しながら再び逆転され、出射側レンズ部２２を通り抜けることになって、元来の動画像が撮影レンズ１２に入射することになる。
【００２１】
図４に示すように、レンズ部２０は入射側レンズ部２１’と出射側レンズ部２２’が所定の距離を置いて互いに平行に位置し、前記図３のリリースレンズ２１ａ、２２ａに代えて直角二等辺三角形のポロプリズム（Porro-Prism；２１ａ’、２２ａ’）が互いに対向して設けられる。前記のポロプリズム２１ａ’、２２ａ’は入射された動画像を反射させるだけでなく、動画像を逆転させる作用をすることになるので、前記リリースレンズ２１ａ、２２ａで構成されたレンズ部と同一の作用をすることになる。しかし、図３及び図４から分かるように、全体の長さにおいてはポロプリズム２１ａ’、２２ａ’を用いたレンズ部２０が小さくなるという効果があるので、図４に示すレンズ部２０は、入射側レンズ部２１と出射側レンズ部２２とを用いたレンズ部２０よりも大きさを縮小化させるときに有用である。
【００２２】
再び図１を参照すれば、レンズ部２０の入射瞳点Ｅは撮影レンズ１２の外側前方に位置するため、第２プリズム５２から反射される被写体１００の右側動画像の最外側動画像ＡＬ２、ＡＲ２を全て受けるために求められる第３プリズム５２の傾斜面と接合面５５との間の距離が短くなり、これに伴い求められる第３プリズム５２の大きさもまた小さくなる。同様に、前記全反射鏡５３から反射される被写体１００の左側動画像の最外側動画像ＡＬ３、ＡＲ３を全て受けるために求められる全反射鏡５３及び第１プリズム５１の間の距離が短くなり、これに伴い求められる全反射鏡５３及び第１プリズム５１の大きさもまた小さくなる。したがって、例えば広い画像角５２°で動画像を撮影するとしてもアダプターハウジング１８の全体的な大きさが肥大することがない。
【００２３】
さらに、前記撮影レンズ１２の光軸Ａ１と第２光軸Ａ２との間の距離ｄ２と、前記撮影レンズ１２の光軸Ａ１と第３光軸Ａ３との距離ｄ１を同一にして、被写体１００の左右動画像の大きさが同一になるようにし、合成された動画像に歪みが生じないようにするのが好ましい。
【００２４】
再び図１を参照すれば、シャッター６０が前記撮影レンズ１２の光軸Ａ１と第２光軸Ａ２に亘って設けられ、第２及び第３光軸Ａ２、Ａ３に沿って入射される被写体１００の左右側動画像を交互に通過させる作用をする。前記シャッター６０は、撮影レンズ１２の光軸Ａ１では第１プリズム５１と第２プリズム５４との間、そして第２光軸Ａ２では第３プリズム５２の前方に両光軸Ａ１、Ａ２に亘って設けられている。さらに、前記シャッター６０は透明で動画像を通過させる部分と、不透明で動画像を遮断する部分が半分ずつ占める円形の断面を有し、立体動画像撮影装置１０の出力端子１６と繋がっている。したがって、前記出力端子１６から制御回路３２を経て前記シャッター６０に入力される信号により、１／６０秒の周期で回転することになる。これに伴い、前記シャッター６０の不透明な部分が撮影レンズ１２の光軸Ａ１上に位置しないときには前記シャッター６０の透明な部分が第２光軸Ａ２上に位置して、第２光軸Ａ２に沿って入射される被写体１００の右側動画像だけが撮影レンズ１２に入射されて、立体動画像撮影装置１０に配置されているカセットテープ１４に記録される。他方で、前記シャッター６０の透明な部分が撮影レンズ１２の光軸Ａ１上に位置するときには前記シャッター６０の不透明な部分が第２光軸Ａ２上に位置して、全反射鏡５３によって反射され、撮影レンズ１２の光軸Ａ１に沿って入射する左側動画像だけが、撮影レンズ１２に入射されて、立体動画像撮影装置１０に配置されているカセットテープ１４に記録される。このようにして、被写体の左側及び右側動画像が撮影レンズ１２を交互に通過し、立体動画像撮影装置１０に配置されているカセットテープ１４に交互に記録されることになる。
【００２５】
＜実施形態２＞
図２は、本発明に係る実施形態２の立体動画像撮影装置用アダプターの構成を示す図である。前記実施形態１とはアダプターハウジングでプリズムに代えて全反射鏡と半反射鏡を用いている点を除いては同一である。したがって、ここでは実施形態２の立体動画像撮影装置に関するアダプターハウジングの構成に対してのみ説明する。
【００２６】
図２に示されているように、アダプターハウジング１８の内部には撮影レンズ１２の前方において、光軸Ａ１上に半反射鏡８０が前記光軸Ａ１に対し４５°の傾斜を有して設けられる。半反射鏡８０は動画像を反射及び透過させる作用をする。前記半反射鏡８０と所定の間隔を置いて、撮影レンズ１２の光軸Ａ１上に設けられた第１全反射鏡４１は、前記光軸Ａ１に対し４５°の傾斜を有して設けられ、半反射鏡８０と第１全反射鏡４１とが直交する。
【００２７】
前記撮影レンズ１２の光軸Ａ１から左右に所定の間隔を置いて被写体１００の左右動画像が通過する第２光軸Ａ２及び第３光軸Ａ３上には、第２全反射鏡４２及び第３全反射鏡４３が各光軸Ａ２、Ａ３に対し４５°の傾斜を有して設けられ、第２全反射鏡４２及び第３全反射鏡４３は互いに直交する。被写体１００の右側動画像は第２全反射鏡４２に反射され、その反射された右側動画像は半反射鏡８０の後面に反射され、レンズ部２０を経て撮影レンズ１２に入射される。したがって、前記第２全反射鏡４２は反射された被写体１００の右側動画像が前記半反射鏡８０に全て入射される位置に設けられる。
【００２８】
さらに、被写体１００の左側動画像は第３全反射鏡４３によって反射され、その反射された左側動画像は第１全反射鏡４１によって再び反射されて半反射鏡８０を通過し、レンズ部２０を経て撮影レンズ１２に入射される。したがって、前記第３全反射鏡４３は反射された被写体１００の左側動画像が全て第１全反射鏡４１に入射される位置に設けられる。
【００２９】
再び図２を参照すれば、シャッター６０は前記撮影レンズ１２の光軸Ａ１と第２光軸Ａ２に亘って設けられ、第２及び第３光軸Ａ２、Ａ３に沿って入射した被写体１００の左右側動画像を交互に通過させる作用をする。前記シャッター６０は、撮影レンズ１２の光軸Ａ１上の半反射鏡８０と第１全反射鏡４１との間、そして第２光軸Ａ２上の第２全反射鏡４２の前方に両光軸Ａ１、Ａ２に亘って設けられる。
【００３０】
本発明の実施形態２に係る立体動画撮影装置におけるレンズ部２０は、前記実施形態１で説明した２つのレンズ部２０を用いることができ、レンズ部２０の入射瞳点Ｅは撮影レンズ１２の光軸Ａ１上の半反射鏡８０と第１全反射鏡４１との間に位置するため、第２全反射鏡４２によって反射される被写体１００の右側動画像の最外側動画像ＡＬ２、ＡＲ２を両方受けるために求められる第２全反射鏡４２と半反射鏡８０との間の距離が短くなり、これに伴い求められる第２全反射鏡４２の大きさもまた小さくなる。同様に、第３全反射鏡４３によって反射される被写体１００の左側動画像の最外側動画像ＡＬ３、ＡＲ３を両方受けるために求められる第３全反射鏡４３及び第１全反射鏡４１の間の距離が短くなり、これに伴い求められる第３及び第１全反射鏡４３、４１の大きさもまた小さくなる。したがって、広い画像角、例えば５２°の画像角で動画像を撮影するとしてもアダプターハウジング１８の全体的な大きさが肥大しないようにすることができる。
【産業上の利用可能性】
【００３１】
上記から明らかなように、本発明に係る立体動画像撮影装置用アダプターは撮影レンズと被写体の左右側動画像が交互に入射されるようにするアダプターハウジングとの間に、レンズの入射瞳点がレンズの外側に位置して１：１の倍率を有し、多数のレンズが対称的に配置され動画像を逆転させるように構成されたレンズ部を備え、画像角の広い動画像を撮影する場合もアダプターハウジングの大きさが肥大しないようにし、合成された左右側動画像に歪みが生じないようにする。
本発明の好ましい実施形態を例示目的で説明したが、当業者であれば添付の請求の範囲に記載される本発明の範囲及び意図から逸脱することなく、様々な改変、追加及び置換が可能である。
【図面の簡単な説明】
【００３２】
【図１】本発明に係る立体動画像撮影装置用アダプターの一実施形態の構成を示す図
【図２】本発明に係る立体動画像撮影装置用アダプターのさらに他の実施形態の構成を示す図
【図３】本発明に係る立体動画像撮影装置用アダプターのレンズ部の一実施形態を示す拡大図
【図４】本発明に係る立体動画像撮影装置用アダプターのレンズ部のさらに他の実施形態を示す拡大図
【図５】従来の立体動画像撮影装置用アダプターの構成を示す図
【図６】ワイド動画像を撮影するための従来の立体動画像撮影装置用アダプターの構成を示す図
【図１】
2005528653.tif 000003
【図２】
2005528653.tif 000004
【図３】
2005528653.tif 000005
【図４】
2005528653.tif 000006
【図５】
2005528653.tif 000007
【図６】
2005528653.tif 000008
【国際調査報告】
2005528653.tif 000009
2005528653.tif 000010